(57)【要約】      （修正有）【課題】断熱壁の内張りに使用した短尺鋼板が排ガスに煽られたり破損したりする可能性を無くすことにより、煙突設置に伴う高層ビルや超高層ビルでの有効床面積の削減量を最少限度に抑え、煙突構築に要するコストを削減する煙突を提供する。【解決手段】断熱壁２０の４つの内面の内張りに用いる薄肉鋼板３０を、多段に配備された複数枚の短尺鋼板に分割する。相隣接段の２枚の短尺鋼板において、下段側の短尺鋼板３２の上端部３２ａを上段側の短尺鋼板３３の下端部３３ｂに煙道の内側から重ね合わせる。下段側の短尺鋼板の上端部と上段側の短尺鋼板の下端部との重なり箇所に耐熱性パッキンを介在する。【選択図】図２
0003233740.tif 000002
【実用新案登録請求の範囲】
【請求項１】
内部空間が煙道を形成している四角筒形断熱壁の４つの内面のそれぞれに薄肉鋼板が内張りされている煙突であって、
薄肉鋼板が縦方向多段に配備された複数枚の短尺鋼板に分割されていると共に、相隣接段に位置する２枚の短尺鋼板において、下段側の短尺鋼板の上端部が上段側の短尺鋼板の下端部に煙道の内側から重ね合わされていることを特徴とする煙突。
【請求項２】
下段側の短尺鋼板の上端部と上段側の短尺鋼板の下端部との重なり箇所に、水分の浸入を遮蔽する帯状の耐熱性パッキンが介在され、この耐熱性パッキンが下段側の短尺鋼板の上端部及び上段側の短尺鋼板の下端部のいずれか一方側部位に耐熱性接着剤を用いて接合され、かつ、耐熱性パッキンと他方側部位とが摺動変位可能になっている請求項１に記載した煙突。
【請求項３】
下段側の短尺鋼板の幅方向両端部のそれぞれに縦方向に長い押さえ部材が重なり状に配備されていると共に、少なくともこの押さえ部材と短尺鋼板と上記四角筒形断熱壁とを貫通して設置されたボルトとこのボルトにねじ込まれたナットとでなる締結具による締付け作用を介して、上記押さえ部材が下段側の短尺鋼板の上端部を上段側の短尺鋼板の下端部に押し付けるように構成されている請求項１又は請求項２に記載した煙突。
【請求項４】
四角筒形断熱壁が、上記薄肉鋼板によって内面が覆われている硬質断熱材とこの硬質断熱材の外側に重ね合わされた軟質断熱材とからなり、軟質断熱材が、硬質断熱材の厚さを薄くして含水に起因する水蒸気爆裂現象を防いだことに伴う硬質断熱材の断熱性能の低下を補足している請求項１ないし請求項３のいずれか１項に記載した煙突。
【請求項５】
硬質断熱材がケイ酸カルシウム板でなり、軟質断熱材がガラス繊維、ロックウール、セラミックファイバーから選ばれた繊維材でなる請求項１ないし請求項４のいずれか１項に記載した煙突。
【請求項６】
上記短尺鋼板がステンレス鋼板でなる請求項１ないし請求項５のいずれか１項に記載した煙突。
【考案の詳細な説明】
【技術分野】
【０００１】
本考案は、建物内に設置される煙突、特に、非常用発電機を駆動するガスタービンエンジンやディーゼルエンジン、ボイラー、産業廃棄物焼却炉などの排ガスを建物外に導いて放出させるのに適する煙突に関する。
【背景技術】
【０００２】
図６〜図８を参照してこの種の煙突の従来例を説明する。従来例に係るこの種の煙突は一定長さの煙突ユニットを多段に積み上げることによって構築される。図６は従来例に係る煙突を構築する際に採用される煙突ユニット１００を説明的に示した横断平面図、図７は煙突ユニット１００に採用されている内張り構造を説明的に示した部分縦断側面図、図８は図７におけるＶＩＩＩ部の拡大図である。
【０００３】
図６のように、煙突ユニット１００では、内部空間が煙道１０１を形成している四角筒形断熱壁１１０の４つの内面のそれぞれに薄肉鋼板１２０…が内張りされていて、これらの薄肉鋼板１２０は、煙突ユニット１００を積み上げて構成される煙突の４つの内面のそれぞれに内張りされた薄肉鋼板に相当している。同様に、上記四角筒形断熱壁１１０も、煙突ユニット１００を積み上げて構成される煙突の四角筒形断熱壁に相当している。
【０００４】
四角筒形断熱壁１１０は、四角筒形の硬質断熱材１１２とこの硬質断熱材１１２の外側に重ね合わされた四角筒形の軟質断熱材１１３とによって形成されていて、硬質断熱材１１２にはケイ酸カルシウム板が採用され、軟質断熱材１１３にはロックウールのような耐熱性繊維材が採用されている。
【０００５】
一方、図７又は図８によって類推できるように、上記薄肉鋼板１２０は、縦方向多段に配備された複数枚（図例では縦方向２段に配備された２枚の鋼板だけが示されている。）の短尺鋼板１２１，１２２に縦方向で分割されていて、相隣接段に位置する２枚の短尺鋼板１２１．１２２において、上段側の短尺鋼板１２２の下端部１２２ｂが下段側の短尺鋼板１２１の上端部１２１ａに煙道１０１の内側から重ね合わされている。薄肉鋼板１２０が縦方向２段に配備された２枚の短尺鋼板１２１，１２２に縦方向で分割されている理由は、煙突ユニット１００の長さとの関係で、原鋼板から必要サイズの薄肉鋼板１２０を製作する際の材料ロスをできるだけ少なくしたいという要請によっている。また、四角筒形断熱壁１１０は、四角筒形の被覆鋼板１４０によって外側から囲まれている。
【０００６】
上記のように構成された煙突ユニット１００を積み上げて構成される煙突によると、薄肉鋼板１２０が、煙道１０１を上昇する排ガスから四角筒形断熱壁１１０を遮断することに役立つので、排ガスが煙道１０１から四角筒形断熱壁１１０の内部に侵入することが防止され、ひいては、被覆鋼板１４０による漏煙防止作用とも相まって排ガスが煙道１０１の外部に漏煙するという事態が防止される。また、薄肉鋼板１２０や被覆鋼板１４０は、経時による自然発生的な漏煙は勿論のこと、地震や不本意な大きい振動などの強い外力の負荷や経年劣化などによって硬質断熱材１１２にクラックが発生したような場合の漏煙を防ぐことにも役立つ。
【０００７】
また、建物の屋上などで開口している煙突の頂部から煙道１０１に浸入した雨水や煙道１０１を取り囲んでいる薄肉鋼板１２０に付着した結露水などが下方へ伝い落ちたとしても、上段側の短尺鋼板１２２の下端部１２２ｂと下段側の短尺鋼板１２１の上端部１２１ａとの重なり箇所Ｒ２では、雨水や結露水などの水分が、図８に矢印ａで示したように上段側の短尺鋼板１２２の下端部１２２ｂの内面から下段側の短尺鋼板１２１の内面に向けて伝い落ちることになるために、重なり箇所Ｒ２の隙間を経て水分が硬質断熱材１１２の内部に浸入するという事態は起こりにくい。そのため、硬質断熱材１１２の内部に浸入した水分が高温の排ガスによって加熱された際に起こり得る硬質断熱材１１２の水蒸気爆裂現象の発生が未然に防止されるという利点がある。ここで、「硬質断熱材の水蒸気爆裂現象」とは、硬質断熱材の内部に浸入した水分が高温の排ガスにより加熱された際に、硬質断熱材の外部に蒸散することなく硬質断熱材の内部で沸騰して硬質断熱材が片々に裂けたり飛び散ったりする現象のことである。
【０００８】
先行例には、図６に示したものと同様の煙突ユニットについての記述があり、この煙突ユニットにおいても、四角筒形断熱壁の内面が鋼板によって内張りされている。
【先行技術文献】
【特許文献】
【０００９】
【特許文献１】実登第３２０４３０１号公報
【考案の概要】
【考案が解決しようとする課題】
【００１０】
図７及び図８に示した内張り構造を備える従来例の煙突によると、原鋼板の材料ロスを少なくすることを意図して、内張りのための薄肉鋼板１２０を縦方向多段に配備された複数枚の短尺鋼板に分割したとしても、硬質断熱材１１２の内部に浸入した水分が高温の排ガスによって加熱された際に起こり得る硬質断熱材１１２の水蒸気爆裂現象の発生が未然に防止されるという上記した利点がある。
【００１１】
しかしながら、煙突に上記内張り構造が採用されていると、図８の矢印Ｆのように煙道１０１を上昇する排ガスの流速によっては、上段側の短尺鋼板１２２の下端部１２２ｂが排ガスにより下方から煽られて下段側の短尺鋼板１２１の上端部１２１ａとの重なり箇所Ｒ２の隙間が拡がり、その隙間から排ガスが漏れ出して漏煙防止作用が損なわれるという事態を生じたり、場合によっては上段側の短尺鋼板１２２が破損したりするおそれがあった。特に、０．５〜２．０ｍｍ程度の厚さの薄肉ステンレス鋼板でなる短尺鋼板１２１，１２２が使用されていて、非常用発電機を駆動するガスタービンエンジンやディーゼルエンジンの排ガスのように高速で排気されるという環境下において、上記したような漏煙防止作用が損なわれたり、上段側の短尺鋼板１２２が破損したりする可能性の大きくなることが知見された。
【００１２】
そこで、漏煙防止作用が損なわれたり、上段側の短尺鋼板１２２が破損したりするような可能性を無くするための対策として、煙道１０１の口径を大きくして排ガスの流速を低く抑えることが有効であるとも考えられるけれども、そのようにすると、煙突自体が大形化し、このことにより、建物、特に高層ビルや超高層ビルでは有効床面積が大きく削減されるだけでなく、煙突構築に要するコストも増大するという問題があった。
【００１３】
本考案は以上の状況に鑑みてなされたものであり、四角筒形断熱壁の４つの内面のそれぞれに内張りされている薄肉鋼板を縦方向多段に配備された複数枚の短尺鋼板に分割するという対策を講じることによって、原鋼板の材料ロスをできるだけ少なくしたいという要請に応え得るものでありながら、従来例と同程度の厚さの短尺鋼板を使用した上で運用したとしても、上記したような漏煙防止作用が損なわれたり、上段側の短尺鋼板が破損したりする可能性を無くすることのできる煙突を提供すること、及び、硬質断熱材の水蒸気爆裂現象を未然に防ぐことのできる煙突を提供することを目的としている。
【００１４】
併せて、本考案は、非常用発電機を駆動するガスタービンエンジンやディーゼルエンジンの排ガスにおいて、例えば４００〜６５０℃程度の高温排ガスを２０〜４０ｍ／ｓｅｃという高速で排気するといったように、煙道の口径を小さく抑えて排ガスの流速を高速で排気する設計にしたとしても上記したような漏煙防止作用が損なわれたり短尺鋼板が破損したりするといった事態を生じにくくして、煙突設置に伴う高層ビルや超高層ビルでの有効床面積の削減量が最少限度に抑えられ、煙突構築に要するコストも削減される煙突を提供することを目的としている。
【課題を解決するための手段】
【００１５】
本考案に係る煙突は、内部空間が煙道を形成している四角筒形断熱壁の４つの内面のそれぞれに薄肉鋼板が内張りされている。そして、薄肉鋼板が縦方向多段に配備された複数枚の短尺鋼板に分割されていると共に、相隣接段に位置する２枚の短尺鋼板において、下段側の短尺鋼板の上端部が上段側の短尺鋼板の下端部に煙道の内側から重ね合わされている、というものである。
【００１６】
この考案によれば、下段側の短尺鋼板の上端部が上段側の短尺鋼板の下端部に煙道の内側から重ね合わされていることにより、煙道を高速で上昇する排ガスによって下段側の短尺鋼板の上端部が下方から煽られて上段側の短尺鋼板の下端部との重なり箇所の隙間が拡がるという事態が生じない。そのため、重なり箇所の隙間から排ガスが漏れ出して漏煙防止作用が損なわれるという事態や短尺鋼板が破損したりするという事態も生じない。
【００１７】
本考案では、下段側の短尺鋼板の上端部と上段側の短尺鋼板の下端部との重なり箇所に、水分の浸入を遮蔽する帯状の耐熱性パッキンが介在され、この耐熱性パッキンが下段側の短尺鋼板の上端部及び上段側の短尺鋼板の下端部のいずれか一方側部位に耐熱性接着剤を用いて接合され、かつ、耐熱性パッキンと他方側部位とが摺動変位可能になっていることが望ましい。これによれば、重なり箇所に介在された耐熱性パッキンの作用によって四角筒形断熱壁の内部に水分が浸入するという事態が防止されるために、水蒸気爆裂現象が発生しなくなる。また、短尺鋼板の熱伸縮も吸収される。
【００１８】
本考案では、下段側の短尺鋼板の幅方向両端部のそれぞれに縦方向に長い押さえ部材が重なり状に配備されていると共に、少なくともこの押さえ部材と短尺鋼板と上記四角筒形断熱壁とを貫通して設置されたボルトとこのボルトにねじ込まれたナットとでなる締結具による締付け作用を介して、上記押さえ部材が下段側の短尺鋼板の上端部を上段側の短尺鋼板の下端部に押し付けるように構成されている、という構成を採用することが可能である。これによれば、重なり箇所の隙間が塞がれやすくなるので、隙間を通して四角筒形断熱壁の内部に水分が浸入するという事態が抑制されて水蒸気爆裂現象が発生しにくくなる。
【００１９】
本考案では、四角筒形断熱壁が、上記薄肉鋼板によって内面が覆われている硬質断熱材とこの硬質断熱材の外側に重ね合わされた軟質断熱材とからなり、軟質断熱材が、硬質断熱材の厚さを薄くして含水に起因する水蒸気爆裂現象を防いだことに伴う硬質断熱材の断熱性能の低下を補足している、という構成を採用することが望ましい。これによれば、仮に硬質断熱材に水分が浸入したとしても、水分が硬質断熱材の内部から蒸散しやすくなって水蒸気爆裂現象が発生しにくくなる。それにもかかわらず、軟質断熱材が、硬質断熱材の厚さを薄くして含水に起因する水蒸気爆裂現象を防いだことに伴う硬質断熱材の断熱性能の低下を補足するために、四角筒形断熱壁の全体としての必要な断熱性は保たれる。
【００２０】
本考案では、硬質断熱材がケイ酸カルシウム板でなり、軟質断熱材がガラス繊維、ロックウール、セラミックファイバーから選ばれた繊維材でなることが望ましい。特に、硬質断熱材については、耐熱性に顕著に優れるゾノトライト系ケイ酸カルシウム板でなることが望ましい。また、短尺鋼板は薄肉ステンレス鋼板を用いることが、耐久性や耐錆性を高める上で好ましい。
【考案の効果】
【００２１】
以上のように、本考案に係る煙突は、四角筒形断熱壁の４つの内面のそれぞれに内張りされている薄肉鋼板を縦方向多段に配備された複数枚の短尺鋼板に分割するという対策を講じたことによって、原鋼板の材料ロスをできるだけ少なくしたいという要請に応え得るものである。それにもかかわらず、非常用発電機を駆動するガスタービンエンジンやディーゼルエンジンの排ガスにおいて、例えば４００〜６５０℃程度の高温排ガスを２０〜４０ｍ／ｓｅｃという高速で排気される設計の環境下で運用したとしても、漏煙防止作用が損なわれたり短尺鋼板が破損したりする可能性が抑制され、また、硬質断熱材の水蒸気爆裂現象が発生するという事態も抑制されるようになる。特に、下段側の短尺鋼板の上端部と上段側の短尺鋼板の下端部との重なり箇所に耐熱性パッキンが介在され、この耐熱性パッキンが下段側の短尺鋼板の上端部及び上段側の短尺鋼板の下端部のいずれか一方側部位に耐熱性接着剤を用いて接合され、かつ、耐熱性パッキンと他方側部位とが摺動変位可能になっている、という構成を採用しておくと、四角筒形断熱壁の内部に水分が浸入するという事態が確実に防止されて水蒸気爆裂現象が発生しなくなり、併せて、短尺鋼板の熱伸縮も吸収されるという利点がある。したがって、煙道の口径を小さく抑えて排ガスの流速を速めたとしても、漏煙防止作用が損なわれたり短尺鋼板が破損したりするといった事態が生じにくくなり、煙突設置に伴う高層ビルや超高層ビルでの有効床面積の削減量を最少限度に抑えることが可能になり、煙突構築に要するコストも削減されるようになる。
【図面の簡単な説明】
【００２２】
【図１】本考案の実施形態に係る煙突に用いられる煙突ユニットの横断平面図である。
【図２】煙突ユニットに採用されている内張り構造などを説明的に示した図１のＩＩ−ＩＩ線断面図である。
【図３】煙突ユニットの一部を破断して示した縦断側面図である。
【図４】図３のＩＶ部拡大図であある。
【図５】重なり箇所を説明的に示した縦断側面図である。
【図６】従来例に係る煙突を説明的に示した横断平面図である。
【図７】図６の煙突に採用されている内張り構造を説明的に示した部分縦断側面図である。
【図８】図７におけるＶＩＩ部の拡大図である。
【考案を実施するための形態】
【００２３】
図１は本考案の実施形態に係る煙突に用いられる煙突ユニット１０の横断平面図であり、煙突はこの煙突ユニット１０を多段に積み上げることによって構成される。図２は煙突ユニットに採用されている内張り構造などを説明的に示した図１のＩＩ−ＩＩ線断面図、図３は煙突ユニット１０の一部を破断して示した縦断側面図、図４は図２のＩＶ部拡大図、図５は後述する重なり箇所を説明的に示した縦断側面図である。
【００２４】
図１のように、煙突ユニット１０では、内部空間が煙道１１を形成している四角筒形断熱壁２０の４つの内面のそれぞれに薄肉鋼板３０…が内張りされていて、これらの薄肉鋼板３０は、煙突ユニット１０を積み上げて構成される煙突の４つの内面のそれぞれに内張りされた薄肉鋼板に相当している。同様に、四角筒形断熱壁２０も、煙突ユニット１０を積み上げて構成される煙突の四角筒形断熱壁に相当している。
【００２５】
四角筒形断熱壁２０は、四角筒形の硬質断熱材２２とこの硬質断熱材２２の外側に重ね合わされた四角筒形の軟質断熱材２３とによって形成されていて、硬質断熱材２２にはケイ酸カルシウム板、さらに具体的にはゾノトライト系ケイ酸カルシウム板が採用され、軟質断熱材２３にはロックウール、セラミックファイバーから選ばれた耐熱性繊維材が採用されている。実施形態では、高耐熱性や高耐久性の点を勘案して耐熱性繊維材としてロックウールが選択されている。
【００２６】
硬質断熱材２２は、その厚さによっては、内部に浸入した水分が高温の排ガスによって加熱されると、水分が硬質断熱材２２の外部に蒸散することなく内部で沸騰することによって片々に裂けたり飛び散ったりするという所謂水蒸気爆裂現象を発生することがある。そこで、この実施形態では、硬質断熱材２２が水蒸気爆裂することを回避するために、硬質断熱材２２の厚さを水蒸気爆裂現象を発生しない程度に薄くする一方で、硬質断熱材２２の厚さを薄くして含水に起因する水蒸気爆裂現象を防いだことに伴う硬質断熱材２２の断熱性能の低下を、硬質断熱材２２の外側に軟質断熱材２３を配備することによって補足（補完）している。したがって、四角筒形断熱壁２０に要求される全体としての断熱性能は充足されている。具体的には、硬質断熱材２２の厚さを２５〜５０ｍｍ、軟質断熱材２３の厚さを２５〜１００ｍｍ程度に定めている。この構成は、四角筒形断熱壁２０の耐熱性能を低下させることなく、重量の重い硬質断熱材２２の厚さを薄くして四角筒形断熱壁２０を軽量化することにも役立っている。このような四角筒形断熱壁２０は、四角筒形の被覆鋼板４０によって外側から囲まれている。
【００２７】
一方、図２又は図３によって判るように、四角筒形断熱壁２０の４つの内面のそれぞれに内張りされている薄肉鋼板３０（図２参照）は、図３に示したように最下段、中間段、最上段の縦方向３段に亘って縦方向で分割されている短尺鋼板３１，３２，３３によって形成されている（図２には短尺鋼板３１は示されていない。）。なお、実施形態では煙突ユニット１０の長さ寸法Ｌとして４〜７ｍを採用している。また、四角筒形断熱壁２０の内面の幅寸法Ｗ１，Ｗ２には５００〜３０００ｍｍを採用している。
【００２８】
図２及び図３に示した四角筒形断熱壁２０の４つの内面のそれぞれに適用されている内張り構造では、縦方向で相隣接段に位置する中間段及び最上段の２枚の短尺鋼板３２，３３の相互間で、下段側の短尺鋼板３２の上端部３２ａが上段側の短尺鋼板３３の下端部３３ｂに煙道１１の内側から重ね合わされている。これと同様に、図３に示した縦方向で相隣接段に位置する最下段及び中間段の２枚の短尺鋼板３１，３２の相互間でも、下段側の短尺鋼板３１の上端部３１ａが上段側の短尺鋼板３３の下端部３２ｂに煙道１１の内側から重ね合わされている。図２〜図５では、重なり箇所を符号Ｒで示している。なお、図４に示した２枚の短尺鋼板同士の重なり箇所Ｒの重なり幅Ａは３０〜５０ｍｍを採用している。
【００２９】
図５に示したように、縦方向で相隣接段に位置する中間段及び最上段の２枚の短尺鋼板３２，３３の重なり箇所Ｒには、水分の浸入を遮蔽する帯状の耐熱性パッキン５０が介在され、この耐熱性パッキン５０が上段側の短尺鋼板３３の下端部３３ｂに耐熱性接着剤５１を用いて接合されているのに対して、耐熱性パッキン５０と下段側の短尺鋼板３２の上端部３２ａとが摺動変位可能になっている。内張り構造としてこの構成を採用したことにより、雨水や薄肉鋼板３０の表面に生じた結露水などが、上記重なり箇所Ｒの隙間を通って硬質断熱材２２の内部に浸入するという事態が確実に防止され、硬質断熱材２２の内部に浸入した水分が高温の排ガスによって加熱された際に起こり得る硬質断熱材２２の水蒸気爆裂現象の発生が未然に防止される。また、短尺鋼板３２，３３の熱伸縮が、耐熱性パッキン５０と下段側の短尺鋼板３２の上端部３２ａとが摺動変位可能になっていることによって吸収される。縦方向で相隣接段に位置する最下段及び中間段の２枚の短尺鋼板３１，３２の重なり箇所Ｒ（図３参照）にも同様の内張り構造が採用されている。
【００３０】
ここでは、耐熱性パッキン５０が短尺鋼板３３の下端部３３ｂに耐熱性接着剤５１を用いて接合されている事例を説明したけれども、この点は、耐熱性パッキン５０が下段側の短尺鋼板３２の上端部３２ａに耐熱性接着剤を用いて接合されていてもよく、この場合には、耐熱性パッキン５０と上段側の短尺鋼板３３の下端部３３ｂとが摺動変位可能とされる。内張り構造に採用されている他の重なり箇所Ｒも同様の構成になっている。
【００３１】
上記のように構成された煙突ユニット１０を積み上げて構成される煙突によると、薄肉鋼板３０が、煙道１１を上昇する排ガスから四角筒形断熱壁２０を遮断することに役立つので、排ガスが煙道１１から四角筒形断熱壁２０の内部に侵入することが防止され、ひいては、被覆鋼板４０による漏煙防止作用とも相まって排ガスが煙道１１の外部に漏煙するという事態が防止される。また、薄肉鋼板３０や被覆鋼板４０は、経時による自然発生的な漏煙は勿論のこと、地震や不本意な大きい振動などの強い外力の負荷や経年劣化などによって硬質断熱材２２にクラックが発生したような場合の漏煙を防ぐことにも役立つ。
【００３２】
また、煙突に上記内張り構造を採用したことにより、図３〜図５の矢印Ｆのように煙道１１を上昇する排ガスにより最上段の短尺鋼板３３の下端部３３ｂが下方から煽られるという事態や、中間段の短尺鋼板３２の下端部３２ｂが下方から煽られるという事態や、最下段の短尺鋼板３１の下端部３１ｂが下方から煽られるという事態起こり得ない。したがって、０．５〜２，０ｍｍ程度の厚さの薄肉ステンレス鋼板でなる短尺鋼板３１，３２，３３が使用されていて、非常用発電機を駆動するガスタービンエンジンやディーゼルエンジンの排ガスにおいて、例えば４００〜６５０℃程度の高温排ガスが２０〜４０ｍ／ｓｅｃという高速で排気される煙突の設計の環境下においても、短尺鋼板３１，３２，３３が煽られて重なり箇所Ｒの隙間が拡がり、その隙間から排ガスが漏れ出して漏煙防止作用が損なわれるという事態を生じたり、短尺鋼板３２，３３が破損したりするという事態は生じなくなる。他の重なり箇所Ｒにおいても同様である。
【００３３】
上述したところによって明らかなように、この実施形態においては、四角筒形断熱壁２０の任意の１つの内面に内張りされている薄肉鋼板３０が、最下段、中間段及び最上段の縦方向３段に亘る３枚の短尺鋼板３１，３２，３３によって形成されている。そして、これらの短尺鋼板３１，３２，３３が、図１又は図２に示した縦方向に長い押さえ部材６０と所要数の締結具７０とを用いて四角筒形断熱壁２０に固定されている。
【００３４】
すなわち、押さえ部材６０は、図１及び図２に示したように、最上段に位置した短尺鋼板３３の外側端部に重なり状に配備されている。最上段の短尺鋼板３３の外側端部では、押さえ部材６０、短尺鋼板３３の外側端部、四角筒形断熱壁２０及び被覆鋼板４０に設けられた挿通孔（不図示）に締結具７０のボルト７１が挿通状態で設置されていると共に、そのボルト７１に締結具７０のナット７２がねじ込まれて締め付けられている。ここで、上記した押さえ部材６０は、煙突ユニット１０の全長に亘って延びているのであって、中間段や最下段に位置する短尺鋼板３２，３１も同様の構成によって四角筒形断熱壁２０に固定されている。したがって、図２や図３などに示した重なり箇所Ｒにおいては、中間段の短尺鋼板３２の上端部３２ａや最下段の短尺鋼板３１の上端部３１ａにおける幅方向両端部にも縦方向に長い押さえ部材６０…が重なり状に配備されていて、締結具７０による締付け作用を介して、押さえ部材６０…が中間段の短尺鋼板３２の上端部３２ａや最下段の短尺鋼板３１の上端部３１ａを、それらが重なり合っている短尺鋼板３２，３３の下端部３２ｂ，３３ｂに押し付けていることになる。このため、図２や図３に示した重なり箇所Ｒにおいては、水分の浸入を遮蔽するという耐熱性パッキン５０の作用が確実に発揮されるようになる。また、ここで説明した構成を採用して押さえ部材６０…で重なり箇所Ｒ…を押し付けておくと、仮に上記した耐熱性パッキン５０を省略したとしても、上記重なり箇所Ｒで隙間が形成されにくくなって水分の浸入が効果的に抑制されることになる。ここでは、四角筒形断熱壁２０の任意の１つの内面に内張りされている薄肉鋼板３０について説明したけれども、他の３つの内面に内張りされている薄肉鋼板３０についても同様である。
【００３５】
この実施形態では、締結具７０が、最下段、中間段及び最上段の短尺鋼板３１，３２，３３を四角筒形断熱壁２０に固定することに用いられていると共に、押さえ部材６０を固定することにも用いられていて、締結具７０のボルト７１が、押さえ部材６０、最上段の短尺鋼板３３の内側又は外側の端部、四角筒形断熱壁２０、及び、被覆鋼板４０のそれぞれを貫通して設置されている。しかしながら、必ずしもボルト７１が被覆鋼板４０を貫通している必要性はない。すなわち、場合によっては、ナット７２が、被覆鋼板４０の内側で四角筒形断熱壁２０を貫通したボルト７１にねじ込まれることもあり得ると考えられるため、この場合には、ボルト７１は、押さえ部材６０と短尺鋼板３３と四角筒形断熱壁２０とだけを貫通して設置されることになる。したがって、押さえ部材６０で下段側の短尺鋼板の上端部（たとえば短尺鋼板３２の上端部３２ａ）を上段側の短尺鋼板の下端部（たとえば短尺鋼板３３の下端部３３ｂ）に押し付けるように構成するためには、少なくとも押さえ部材６０と短尺鋼板３３と四角筒形断熱壁２０とを貫通して設置されたボルト７１とこのボルト７１にねじ込まれたナット７２とでなる締結具７０による締付け作用を介して、押さえ部材６０が下段側の短尺鋼板の上端部（たとえば短尺鋼板３２の上端部３２ａ）を上段側の短尺鋼板の下端部（たとえば短尺鋼板３３の下端部３３ｂ）に押し付けるように構成されていればよい、ということになる。
【００３６】
この実施形態では、四角筒形断熱壁２０を内張りしている薄肉鋼板３０が最下段、中間段、最上段の３枚の短尺鋼板３１，３２，３３に分割されている事例を説明したけれども、薄肉鋼板３０が、縦方向２段に配備された２枚の短尺鋼板に分割されていても、縦方向３段よりも多い段数に配備された複数枚の短尺鋼板に分割されていてもよいことは勿論である。
【符号の説明】
【００３７】
１１  煙道
２０  四角筒形断熱壁
２２  硬質断熱材
２３  軟質断熱材
３０  薄肉鋼板
３１，３２，３３  短尺鋼板
３１ａ，３２ａ  短尺鋼板の上端部
３１ｂ，３２ｂ，３３ｂ  短尺鋼板の下端部
５０  耐熱性パッキン
５１  耐熱性接着剤
６０  押さえ部材
７０  締結具
７１  ボルト
７２  ナット
Ｒ  下段側の短尺鋼板の上端部と上段側の短尺鋼板の下端部との重なり箇所
【図１】
0003233740.tif 000003
【図２】
0003233740.tif 000004
【図３】
0003233740.tif 000005
【図４】
0003233740.tif 000006
【図５】
0003233740.tif 000007
【図６】
0003233740.tif 000008
【図７】
0003233740.tif 000009
【図８】
0003233740.tif 000010
【手続補正書】
【提出日】令和3年7月5日(2021.7.5)
【手続補正１】
【補正対象書類名】実用新案登録請求の範囲
【補正対象項目名】請求項５
【補正方法】変更
【補正の内容】
【請求項５】
硬質断熱材がケイ酸カルシウム板でなり、軟質断熱材がガラス繊維、ロックウール、セラミックファイバーから選ばれた繊維材でなる請求項５に記載した煙突。